(57)【要約】      （修正有）【課題】放送対象に対する放送番組の広告宣伝効果の評価を精度よく行うことができる放送データ処理装置およびプログラムを提供する。【解決手段】放送データ処理装置１は、放送前計数期間における対象放送番組の投稿を行った放送前対象ユーザーを抽出する放送前対象ユーザー抽出部と、放送前対象ユーザーの放送前計数期間における放送対象の投稿数を計数する放送前対象ユーザー放送対象投稿数計数部と、第１の放送後計数期間における対象放送番組の投稿を行った放送後対象ユーザーを抽出する放送後対象ユーザー抽出部と、放送後対象ユーザーの第１の放送後計数期間における放送対象の投稿数を計数する放送後対象ユーザー放送対象投稿数計数部と、を有する。【選択図】図２
2019003595.tif 000002
【特許請求の範囲】
【請求項１】
対象ユーザーの放送対象の投稿数の計数を行う放送データ処理装置であって、
対象放送番組の放送の前後における前記対象放送番組の投稿を行った対象ユーザーの放送対象の投稿数の計数を行うことを特徴とする放送データ処理装置。
【請求項２】
対象ユーザーの放送対象の投稿数の計数を行う放送データ処理装置であって、
対象放送番組の放送前における計数を行うための放送前計数期間を設定する放送前計数期間設定部と、
前記対象放送番組の放送後における計数を行うための第１の放送後計数期間を設定する第１の放送後計数期間設定部と、
前記放送前計数期間における前記対象放送番組の投稿を行った放送前対象ユーザーを抽出する放送前対象ユーザー抽出部と、
前記放送前対象ユーザー抽出部により抽出された放送前対象ユーザーの前記放送前計数期間における前記放送対象の投稿数を計数する放送前対象ユーザー放送対象投稿数計数部と、
前記第１の放送後計数期間における前記対象放送番組の投稿を行った放送後対象ユーザーを抽出する放送後対象ユーザー抽出部と、
前記放送後対象ユーザー抽出部により抽出された放送後対象ユーザーの前記第１の放送後計数期間における前記放送対象の投稿数を計数する放送後対象ユーザー放送対象投稿数計数部と、
を有することを特徴とする放送データ処理装置。
【請求項３】
前記放送前対象ユーザー抽出部は、前記放送前計数期間における投稿ユーザーから前記放送後対象ユーザー抽出部により抽出された放送後対象ユーザーと重複する投稿ユーザーを前記放送前対象ユーザーとして抽出し、前記放送前対象ユーザー放送対象投稿数計数部は、前記放送後対象ユーザー抽出部により抽出された放送後対象ユーザーと重複する前記放送前計数期間における投稿ユーザーの前記放送対象の投稿数を計数することを特徴とする請求項２に記載の放送データ処理装置。
【請求項４】
前記放送後対象ユーザー抽出部は、前記対象放送番組の投稿数が所定の閾値以上の投稿数となる対象ユーザーを抽出することを特徴とする請求項２または請求項３に記載の放送データ処理装置。
【請求項５】
前記閾値は、２回とすることを特徴とする請求項４に記載の放送データ処理装置。
【請求項６】
前記放送前計数期間における投稿ユーザーから放送前対象ユーザー抽出部により抽出された放送前対象ユーザーを除いた投稿ユーザーを放送前非対象ユーザーとして抽出する放送前非対象ユーザー抽出部と、前記放送前計数期間における前記放送前非対象ユーザー抽出部により抽出された放送前非対象ユーザーの放送対象の投稿数を計数する放送前非対象ユーザー放送対象投稿数計数部と、を有することを特徴とする請求項２乃至請求項５のうちいずれか一項に記載の放送データ処理装置。
【請求項７】
前記第１の放送後計数期間における投稿ユーザーから前記放送後対象ユーザー抽出部により抽出された放送後対象ユーザーを除いた投稿ユーザーを放送後非対象ユーザーとして抽出する放送後非対象ユーザー抽出部と、前記第１の放送後計数期間における前記放送後非対象ユーザー抽出部により抽出された放送後非対象ユーザーの放送対象の投稿数を計数する放送後非対象ユーザー放送対象投稿数計数部と、を有することを特徴とする請求項２乃至請求項６のうちいずれか一項に記載の放送データ処理装置。
【請求項８】
前記対象放送番組は、複数回にわたり放送され、前記第１の放送後計数期間は、前記複数回にわたる放送の第１回から最終回までの期間として定義される基本計数期間に所定の付加期間を加えた期間とすることを特徴とする請求項２乃至請求項７のうちいずれか一項に記載の放送データ処理装置。
【請求項９】
前記所定の付加期間は、１ケ月以内とすることを特徴とする請求項８に記載の放送データ処理装置。
【請求項１０】
前記所定の付加期間は、１週間以内とすることを特徴とする請求項９に記載の放送データ処理装置。
【請求項１１】
前記放送前計数期間は、前記基本計数期間とすることを特徴とする請求項８乃至請求項１０のうちいずれか一項に記載の放送データ処理装置。
【請求項１２】
前記対象放送番組の放映時間に所定の付加時間を加えた時間で定義される第２の放送後計数期間を設定する第２の放送後計数期間設定部を有するとともに、
前記第２の放送後計数期間設定部により設定された第２の放送後計数期間における前記対象放送番組の投稿数を計数する第２の放送後対象放送番組投稿数計数部を有することを特徴とする請求項２乃至請求項１１のうちいずれか一項に記載の放送データ処理装置。
【請求項１３】
前記第２の放送後計数期間設定部により設定された第２の放送後計数期間における前記放送対象の投稿数を計数する第２の放送後放送対象投稿数計数部を有することを特徴とする請求項２乃至請求項１２のうちいずれか一項に記載の放送データ処理装置。
【請求項１４】
前記第２の放送後計数期間設定部により設定された第２の放送後計数期間における前記対象放送番組の投稿を行った対象ユーザーのユーザー数を計数する第２の放送後対象ユーザー数計数部を有することを特徴とする請求項２乃至請求項１３のうちいずれか一項に記載の放送データ処理装置。
【請求項１５】
前記所定の付加時間は、６０分以内とすることを特徴とする請求項１２乃至請求項１４のうちいずれか一項に記載のデータ処理装置。
【請求項１６】
前記所定の付加時間は、更に１０分以内とすることを特徴とする請求項１５に記載のデータ処理装置。
【請求項１７】
前記放送対象は、放送番組に関わる団体、企業、有名人、芸能人、タレント、商品名、役務名、施設、場所、またはブランド名とすることを特徴とする請求項１乃至請求項１６のうちいずれか一項に記載の放送データ処理装置。
【請求項１８】
前記投稿は、Ｗｅｂ上の投稿とすることを特徴とする請求項１乃至請求項１７のうちいずれか一項に記載の放送データ処理装置。
【請求項１９】
前記Ｗｅｂ上の投稿は、ソーシャルネットワーキングサービスにおける投稿とすることを特徴とする請求項１８に記載の放送データ処理装置。
【請求項２０】
対象ユーザーの放送対象の投稿数の計数を行う放送データ処理装置におけるコンピュータを、
対象放送番組の放送の前後における前記対象放送番組の投稿を行った対象ユーザーの放送対象の投稿数の計数を行う機能部として機能させることを特徴とするプログラム。
【請求項２１】
対象ユーザーの放送対象の投稿数の計数を行う放送データ処理装置におけるコンピュータを、
対象放送番組の放送前における計数を行うための放送前計数期間を設定する放送前計数期間設定部と、
前記対象放送番組の放送後における計数を行うための第１の放送後計数期間を設定する第１の放送後計数期間設定部と、
前記放送前計数期間における前記対象放送番組の投稿を行った放送前対象ユーザーを抽出する放送前対象ユーザー抽出部と、
前記放送前対象ユーザー抽出部により抽出された放送前対象ユーザーの前記放送前計数期間における前記放送対象の投稿数を計数する放送前対象ユーザー放送対象投稿数計数部と、
前記第１の放送後計数期間における前記対象放送番組の投稿を行った放送後対象ユーザーを抽出する放送後対象ユーザー抽出部と、
前記放送後対象ユーザー抽出部により抽出された放送後対象ユーザーの前記第１の放送後計数期間における前記放送対象の投稿数を計数する放送後対象ユーザー放送対象投稿数計数部として機能させることを特徴とするプログラム。
【発明の詳細な説明】
【技術分野】
【０００１】
本発明は、放送データ処理装置およびプログラムに関し、特に対象放送番組の放送の前後における対象放送番組の投稿を行った対象ユーザーの放送対象の投稿数の計数を行う放送データ処理装置およびプログラムに関する。
【背景技術】
【０００２】
従来から放送番組の広告宣伝効果を評価するシステムが各種開発されている。このような技術は、例えば、特許文献１に記載された技術が参照される。
【先行技術文献】
【特許文献】
【０００３】
【特許文献１】特開２００４−３４８６２９号
【発明の概要】
【発明が解決しようとする課題】
【０００４】
ところで、放送番組におけるＣＭ商品や番組出演タレント等の放送対象は、ツイッター（登録商標）等のソーシャルネットワーキングサービスにより投稿対象となることが多く、このような放送対象の投稿数に基づいて放送番組の広告宣伝効果の評価を精度よく行うシステムの開発が求められていた。
【０００５】
本願発明は上記事情に鑑みてなされたものであり、放送対象に対する放送番組の広告宣伝効果の評価を行うことができる放送データ処理装置およびプログラムを提供することを目的とする。
【課題を解決するための手段】
【０００６】
上記目的を達成するために、放送データ処理装置に係る請求項１の発明は、対象ユーザーの放送対象の投稿数の計数を行う放送データ処理装置であって、
対象放送番組の放送の前後における対象放送番組の投稿を行った対象ユーザーの放送対象の投稿数の計数を行うことを特徴とする。
【０００７】
上記目的を達成するために、放送データ処理装置に係る請求項２の発明は、対象ユーザーの放送対象の投稿数の計数を行う放送データ処理装置であって、対象放送番組の放送前における計数を行うための放送前計数期間を設定する放送前計数期間設定部と、対象放送番組の放送後における計数を行うための第１の放送後計数期間を設定する第１の放送後計数期間設定部と、放送前計数期間における対象放送番組の投稿を行った放送前対象ユーザーを抽出する放送前対象ユーザー抽出部と、放送前対象ユーザー抽出部により抽出された放送前対象ユーザーの放送前計数期間における放送対象の投稿数を計数する放送前対象ユーザー放送対象投稿数計数部と、第１の放送後計数期間における対象放送番組の投稿を行った放送後対象ユーザーを抽出する放送後対象ユーザー抽出部と、放送後対象ユーザー抽出部により抽出された放送後対象ユーザーの第１の放送後計数期間における放送対象の投稿数を計数する放送後対象ユーザー放送対象投稿数計数部と、を有することを特徴とする。
【０００８】
本発明によれば、対象放送番組の放送の前後における対象放送番組の投稿を行った対象ユーザーの放送対象の投稿数の計数を行うこととしたので、より詳しくは、対象放送番組の放送前における計数を行うための放送前計数期間を設定する放送前計数期間設定部と、対象放送番組の放送後における計数を行うための第１の放送後計数期間を設定する第１の放送後計数期間設定部と、放送前計数期間における対象放送番組の投稿を行った放送前対象ユーザーを抽出する放送前対象ユーザー抽出部と、放送前対象ユーザー抽出部により抽出された放送前対象ユーザーの放送前計数期間における放送対象の投稿数を計数する放送前対象ユーザー放送対象投稿数計数部と、第１の放送後計数期間における対象放送番組の投稿を行った放送後対象ユーザーを抽出する放送後対象ユーザー抽出部と、放送後対象ユーザー抽出部により抽出された放送後対象ユーザーの第１の放送後計数期間における放送対象の投稿数を計数する放送後対象ユーザー放送対象投稿数計数部と、を有することとしたので、対象放送番組の放送の前後における対象ユーザーの放送対象の投稿数の比較を行うことができ、放送対象に対する放送番組の広告宣伝効果の評価を行うことができる。
【０００９】
放送前対象ユーザー抽出部は、放送前計数期間における投稿ユーザーから放送後対象ユーザー抽出部により抽出された放送後対象ユーザーと重複する投稿ユーザーを放送前対象ユーザーとして抽出し、放送前対象ユーザー放送対象投稿数計数部は、放送後対象ユーザー抽出部により抽出された放送後対象ユーザーと重複する放送前計数期間における投稿ユーザーの放送対象の投稿数を計数することとすれば、対象放送番組の放送の前後における対象ユーザーの放送対象の投稿数の比較を精度よく行うことができる（請求項３）。
【００１０】
放送後対象ユーザー抽出部は、対象放送番組の投稿数が所定の閾値以上の投稿数となる対象ユーザーを抽出することとすれば、閾値を任意に設定する等することにより、放送対象に対する対象ユーザーの対象放送番組における投稿数の影響を精度よく評価することができる（請求項４）。
【００１１】
閾値は、２回とすることができる（請求項５）。
放送前計数期間における投稿ユーザーから放送前対象ユーザー抽出部により抽出された放送前対象ユーザーを除いた投稿ユーザーを放送前非対象ユーザーとして抽出する放送前非対象ユーザー抽出部と、放送前計数期間における放送前非対象ユーザー抽出部により抽出された放送前非対象ユーザーの放送対象の投稿数を計数する放送前非対象ユーザー放送対象投稿数計数部と、を有することとすれば、放送前において対象ユーザーと非対象ユーザーの放送対象の投稿数の比較を行うことができる（請求項６）。
【００１２】
第１の放送後計数期間における投稿ユーザーから放送後対象ユーザー抽出部により抽出された放送後対象ユーザーを除いた投稿ユーザーを放送後非対象ユーザーとして抽出する放送後非対象ユーザー抽出部と、第１の放送後計数期間における放送後非対象ユーザー抽出部により抽出された放送後非対象ユーザーの放送対象の投稿数を計数する放送後非対象ユーザー放送対象投稿数計数部と、を有することとすれば、放送後において対象ユーザーと非対象ユーザーの放送対象の投稿数の比較を行うことができる（請求項７）。
【００１３】
対象放送番組は、複数回にわたり放送され、第１の放送後計数期間は、複数回にわたる放送の第１回から最終回までの期間として定義される基本計数期間に所定の付加期間を加えた期間とすることができる（請求項８）。所定の付加期間は、１ケ月以内とすることができ（請求項９）、より詳しくは、１週間以内とすることができる（請求項１０）。放送前計数期間は、基本計数期間とすることができる（請求項１１）。
【００１４】
対象放送番組の放映時間に所定の付加時間を加えた時間で定義される第２の放送後計数期間を設定する第２の放送後計数期間設定部を有するとともに、第２の放送後計数期間設定部により設定された第２の放送後計数期間における対象放送番組の投稿数を計数する放送後対象放送番組投稿数計数部を有することとすれば、番組放映中における対象放送番組の投稿数を把握することができる（請求項１２）。
【００１５】
第２の放送後計数期間設定部により設定された第２の放送後計数期間における放送対象の投稿数を計数する放送後放送対象投稿数計数部を有することとすれば、番組放映中における放送対象の投稿数を把握することができる（請求項１３）。
【００１６】
第２の放送後計数期間設定部により設定された第２の放送後計数期間における対象放送番組の投稿を行った対象ユーザーのユーザー数を計数する放送後対象ユーザー数計数部を有することとすれば、番組放映中における対象放送番組の対象ユーザーのユーザー数を把握することができる（請求項１４）。
【００１７】
所定の付加時間は、６０分以内とすることができ（請求項１５）、より詳しくは、１０分以内とすることができる（請求項１６）。すなわち、本発明者により、対象放送番組の投稿率、対象ユーザーのユーザー率、および対象放送番組に関わる放送対象の投稿率は、個々の対象放送番組の終了後（個々の放映時間の終了後）６０分を経過することにより、より詳しくは１０分を経過することにより、大幅に低下することが把握されている。
【００１８】
放送対象は、放送番組に関わる団体、企業、有名人、芸能人、タレント、商品名、役務名、施設、場所、またはブランド名とすることができる（請求項１７）。投稿は、Ｗｅｂ上の投稿とすることができる（請求項１８）。Ｗｅｂ上の投稿は、ソーシャルネットワーキングサービスにおける投稿とすることができる（請求項１９）。
【００１９】
上記目的を達成するために、プログラムに係る請求項２０の発明は、対象ユーザーの放送対象の投稿数の計数を行う放送データ処理装置におけるコンピュータを、対象放送番組の放送の前後における対象放送番組の投稿を行った対象ユーザーの放送対象の投稿数の計数を行う機能部として機能させることを特徴とする。
【００２０】
上記目的を達成するために、プログラムに係る請求項２１の発明は、対象ユーザーの放送対象の投稿数の計数を行う放送データ処理装置におけるコンピュータを、対象放送番組の放送前における計数を行うための放送前計数期間を設定する放送前計数期間設定部と、対象放送番組の放送後における計数を行うための第１の放送後計数期間を設定する第１の放送後計数期間設定部と、放送前計数期間における対象放送番組の投稿を行った放送前対象ユーザーを抽出する放送前対象ユーザー抽出部と、放送前対象ユーザー抽出部により抽出された放送前対象ユーザーの放送前計数期間における放送対象の投稿数を計数する放送前対象ユーザー放送対象投稿数計数部と、第１の放送後計数期間における対象放送番組の投稿を行った放送後対象ユーザーを抽出する放送後対象ユーザー抽出部と、放送後対象ユーザー抽出部により抽出された放送後対象ユーザーの第１の放送後計数期間における放送対象の投稿数を計数する放送後対象ユーザー放送対象投稿数計数部として機能させることを特徴とする。
【発明の効果】
【００２１】
本発明によれば、放送対象に対する放送番組の広告宣伝効果の評価を行うことができる。
【図面の簡単な説明】
【００２２】
【図１】本発明の実施形態に係る放送データ処理装置の全体構成の概要を示すブロック図である。
【図２】同放送データ処理装置の全体構成の概要を示す図１に続くブロック図である。
【図３】同放送データ処理装置の全体構成の概要を示す図２に続くブロック図である。
【図４】同放送データ処理装置における計数期間を説明するための図である。
【図５】同放送データ処理装置における計数期間を説明するための別の図である。
【図６】同放送データ処理装置の記憶部に記憶されたデータを説明するための図である。
【図７】同放送データ処理装置の記憶部に記憶されたデータを説明するための別の図である。
【図８】同放送データ処理装置による処理フローを説明するためのフローチャートである。
【図９】同放送データ処理装置による処理フローを説明するための図８に続くフローチャートである。
【図１０】本発明の変形例に係るデータ処理装置を説明するための図である。
【発明を実施するための形態】
【００２３】
以下、本発明の実施形態について図面を参照して詳細に説明する。図１乃至図３は本発明の実施形態を示す放送データ処理装置１の全体構成の概要を示すブロック図である。
【００２４】
これらの図を参照して本発明の放送データ処理装置１の概要を説明すると、同放送データ処理装置１は、対象ユーザーの放送対象の投稿数の計数を行う機能を有している、より詳しくは、対象放送番組の放送の前後における投稿ユーザーから対象放送番組の投稿を行ったユーザー（対象放送番組の投稿を行ったユーザーは、以下対象ユーザーとする場合がある）の放送対象の投稿数の計数を行う機能を有している（対象放送番組とは、投稿数やユーザー数の計数対象となる放送番組をいう）。なお、本実施形態にあっては、対象放送番組の投稿とは、対象放送番組を特定できる内容を含む投稿を言い、放送対象の投稿とは、放送対象を特定できる内容を含む投稿を言う。また、放送対象とは、ＣＭ（コマーシャル）や放送番組で露出または出演している団体、企業、有名人、芸能人、タレント、商品名、役務名、施設、場所、ブランド名、またはＣＭスポンサー名とすることとしており、投稿は、Ｗｅｂ上の投稿より詳しくはツイッター（登録商標）等のソーシャルネットワーキングサービスにおける投稿とすることとしている。
【００２５】
放送データ処理装置１は、コンピュータとしての一般的な構成を備えており、ＣＰＵ、メモリ、ハードディスク、入力装置（キーボード、マウス）、表示装置（ディスプレー）を有している。メモリは、コンピュータ読み取り可能な記憶媒体として機能する。
【００２６】
放送データ処理装置１は、放送前計数期間設定部１０、第１の放送後計数期間設定部２０、第２の放送後計数期間設定部３０、記憶部４０、放送前対象放送番組投稿数計数部５０、放送前放送対象投稿数計数部６０、放送前対象ユーザー数計数部７０、第１の放送後対象放送番組投稿数計数部１００、第１の放送後放送対象投稿数計数部１１０、第１の放送後対象ユーザー数計数部１２０、閾値設定部１２３、放送後対象ユーザー抽出部１２５、放送後対象ユーザー放送対象投稿数計数部１４０、放送後対象ユーザー放送対象投稿率演算部１４３、放送後非対象ユーザー抽出部１４４、放送後非対象ユーザー放送対象投稿数計数部１４４ａ、放送後非対象ユーザー放送対象投稿率演算部１４５、放送前対象ユーザー抽出部１４６、放送前対象ユーザー放送対象投稿数計数部１４７、放送前対象ユーザー放送対象投稿率演算部１４８、放送前非対象ユーザー抽出部１４８ａ、放送前非対象ユーザー放送対象投稿数計数部１４８ｂ、放送前非対象ユーザー放送対象投稿率演算部１４９、第２の放送後対象放送番組投稿数計数部１５０、放送後対象放送番組投稿率演算部１６０、第２の放送後放送対象投稿数計数部１７０、放送後放送対象投稿率演算部１８０、第２の放送後対象ユーザー数計数部１９０、放送後対象ユーザー率演算部２００、第２の放送後非対象ユーザー数計数部２１０、放送後非対象ユーザー率演算部２２０、表示部２３０の各機能部からなる。
【００２７】
放送前計数期間設定部１０は、対象放送番組の放送前における計数を行うための放送前計数期間を設定する機能を有している。本実施形態にあっては、放送前計数期間は、図４に示すように、対象放送番組における第１回の放送が始まる前の期間とし、後述する基本計数期間と同期間に設定されている。
【００２８】
第１の放送後計数期間設定部２０は、対象放送番組の放送後における計数を行うための第１の放送後計数期間を設定する機能を有している。ここで、本実施形態にあっては、対象放送番組は、複数回にわたり放送され、第１の放送後計数期間は、図４に示すように、複数回にわたる放送の第１回から最終回までの期間として定義される基本計数期間に所定の付加期間より詳しくは１ケ月以内の期間（例えば、付加期間は、１ケ月、１週間乃至１ケ月等）更に詳しくは１週間以内の期間（例えば、付加期間は、１週間、１日乃至１週間等）を加えた期間としている。すなわち、本発明者により、対象放送番組の投稿、対象ユーザーのユーザー数、および対象放送番組に関わる放送対象の投稿は、対象放送番組の終了後１ケ月を経過することにより、より詳しくは１週間を経過することにより大幅に低下することが把握されている。
【００２９】
第２の放送後計数期間設定部３０は、図５に示すように、対象放送番組の放映時間に所定の付加時間より詳しくは６０分以内の時間（例えば、付加時間は、６０分、１０分乃至６０分等）更に詳しくは１０分以内の時間（例えば、付加時間は、１０分、１分乃至１０分等）を加えた時間で定義される第２の放送後計数期間を設定する機能を有している。
【００３０】
記憶部４０は、図６および図７に示すように、投稿の日時、各種の放送番組の投稿の有無、各種の放送対象の投稿の有無、および各種の投稿ユーザーの情報を投稿ごとに関連させて記憶する機能を有している。なお、記憶部４０は、放送前計数期間設定部１０、第１の放送後計数期間設定部２０、および第２の放送後計数期間設定部３０により設定された各計数期間における全ての投稿に関する投稿データを投稿ごとに記憶しており、図６に示すように、放送番組および放送対象のうち少なくともいずれか一方が投稿有りとするデータのみならず、図７に示すように、放送番組および放送対象のいずれも投稿なしとするデータも記憶している。
【００３１】
放送前対象放送番組投稿数計数部５０は、放送前計数期間設定部１０により設定された放送前計数期間における対象放送番組の投稿数を記憶部４０に記憶された放送番組の投稿の有無と投稿の日時に基づいて計数する機能を有している。なお、対象放送番組の放送前においても番組予告ＣＭ等により宣伝がされることがあり、当該対象放送番組に対する投稿がされることがある。すなわち、放送前における対象放送番組の投稿とは、より詳しくは放送番組の予告ＣＭ等に対する投稿となる。
【００３２】
放送前放送対象投稿数計数部６０は、放送前計数期間設定部１０により設定された放送前計数期間における放送対象の投稿数を記憶部４０に記憶された放送対象の投稿の有無と投稿の日時に基づいて放送対象ごとに計数する機能を有している。
【００３３】
放送前対象ユーザー数計数部７０は、放送前計数期間設定部１０により設定された放送前計数期間における対象放送番組の投稿を行った対象ユーザーのユーザー数を記憶部４０に記憶された放送番組の投稿の有無と投稿を行った投稿ユーザーの情報と投稿の日時に基づいて計数する機能を有している。
【００３４】
第１の放送後対象放送番組投稿数計数部１００は、第１の放送後計数期間設定部２０により設定された第１の放送後計数期間における対象放送番組の投稿数を記憶部４０に記憶された放送番組の投稿の有無と投稿の日時に基づいて計数する機能を有している。
【００３５】
第１の放送後放送対象投稿数計数部１１０は、第１の放送後計数期間設定部２０により設定された第１の放送後計数期間における放送対象の投稿数を記憶部４０に記憶された放送対象の投稿の有無と投稿の日時に基づいて放送対象ごとに計数する機能を有している。
【００３６】
第１の放送後対象ユーザー数計数部１２０は、第１の放送後計数期間設定部２０により設定された第１の放送後計数期間における対象放送番組の投稿を行った対象ユーザーのユーザー数を記憶部４０に記憶された放送番組の投稿の有無と投稿を行った投稿ユーザーの情報と投稿の日時に基づいて計数する機能を有している。
【００３７】
閾値設定部１２３は、所定の閾値を設定する機能を有している。
放送後対象ユーザー抽出部１２５は、第１の放送後計数期間における投稿ユーザーから対象放送番組の投稿を行った対象ユーザーを記憶部４０に記憶された放送番組の投稿の有無と投稿を行った投稿ユーザーの情報と投稿の日時に基づいて放送後対象ユーザーとして抽出する機能を有している。放送後対象ユーザー抽出部１２５は、対象放送番組の投稿数が閾値設定部１２３により設定された所定の閾値以上の投稿数となる対象ユーザーのみを抽出することができる。なお、閾値は、１回、２回、５回、１０回の如く設定される。
【００３８】
放送後対象ユーザー放送対象投稿数計数部１４０は、放送後対象ユーザー抽出部１２５により抽出された全ての放送後対象ユーザーの第１の放送後計数期間における放送対象の投稿数を記憶部４０に記憶された投稿を行った投稿ユーザーの情報と放送対象の投稿の有無と投稿の日時に基づいて放送対象ごとに計数する機能を有している。なお、放送後対象ユーザーは、上記の如く第１の放送後計数期間において対象放送番組の投稿を所定数以上行うこととすれば抽出される。すなわち、放送後対象ユーザー放送対象投稿数計数部１４０により計数される放送対象の投稿数には、対象放送番組の投稿が行われた投稿も含まれる他対象放送番組の投稿が行われなかった投稿も含まれる。
【００３９】
放送後対象ユーザー放送対象投稿率演算部１４３は、数１の如く、放送後対象ユーザー放送対象投稿数計数部１４０により計数された全ての放送後対象ユーザーの放送対象ごとの投稿数（Ｙ１）を前記全ての放送後対象ユーザーにおける第１の放送後計数期間の全ての放送対象の投稿数（Ｚ１）で除した放送後対象ユーザー放送対象投稿率（Ｘ１）を演算する機能を有している。
[数１]
Ｘ１＝Ｙ１／Ｚ１
【００４０】
放送後非対象ユーザー抽出部１４４は、第１の放送後計数期間における放送後非対象ユーザーを記憶部４０に記憶された放送番組の投稿の有無と投稿を行った投稿ユーザーの情報と投稿の日時に基づいて抽出する機能を有している。放送後非対象ユーザーは、第１の放送後計数期間における全ての投稿ユーザーから放送後対象ユーザー抽出部１２５により抽出された放送後対象ユーザーを除いた投稿ユーザーとなる。
【００４１】
放送後非対象ユーザー放送対象投稿数計数部１４４ａは、第１の放送後計数期間における放送後非対象ユーザー抽出部１４４により抽出された放送後非対象ユーザーの放送対象ごとの投稿数（Ｙ２）を記憶部４０に記憶された投稿を行った投稿ユーザーの情報と放送対象の投稿の有無と投稿の日時に基づいて計数する機能を有している。
【００４２】
放送後非対象ユーザー放送対象投稿率演算部１４５は、数２の如く、放送後非対象ユーザー放送対象投稿数計数部１４４ａにより計数された放送後非対象ユーザーの放送対象ごとの投稿数（Ｙ２）を放送後非対象ユーザーにおける第１の放送後計数期間の全ての放送対象の投稿数（Ｚ２）で除した放送後非対象ユーザー放送対象投稿率（Ｘ２）を演算する機能を有している。
[数２]
Ｘ２＝Ｙ２／Ｚ２
【００４３】
放送前対象ユーザー抽出部１４６は、放送前計数期間における投稿ユーザーから対象放送番組の投稿を行った投稿ユーザーを放送前対象ユーザーとして抽出する機能を有している。より詳しくは、放送前対象ユーザー抽出部１４６は、放送前計数期間における全ての投稿ユーザーから放送後対象ユーザー抽出部１２５により抽出された放送後対象ユーザーと重複する投稿ユーザーを記憶部４０に記憶された投稿を行った投稿ユーザーの情報と投稿の日時に基づいて放送前対象ユーザーとして抽出する機能を有している。なお、放送前対象ユーザー抽出部１４６により抽出される対象ユーザーは、放送前計数期間における投稿ユーザーのうち放送後対象ユーザーと重複すれば足り、放送前計数期間において対象放送番組の投稿（詳しくは放送前計数期間における番組予告ＣＭ等に対する投稿）を行ったか否かは問わない。
【００４４】
放送前対象ユーザー放送対象投稿数計数部１４７は、放送前対象ユーザー抽出部１４６により抽出された放送前対象ユーザーの放送前計数期間における放送対象の投稿数を計数する機能を有している。より詳しくは、放送前対象ユーザー放送対象投稿数計数部１４７は、放送後対象ユーザー抽出部１２５により抽出された放送後対象ユーザーの放送前計数期間における放送対象の投稿数を放送対象ごとに計数する機能を有している。
【００４５】
すなわち、放送前対象ユーザー放送対象投稿数計数部１４７は、放送前対象ユーザー抽出部１４６により抽出された全ての放送前対象ユーザー（放送前計数期間の投稿ユーザーにおいて上記の如く放送後対象ユーザーと重複する投稿ユーザー）の放送前計数期間における放送対象の投稿数を記憶部４０に記憶された投稿を行った投稿ユーザーの情報と放送対象の投稿の有無と投稿の日時に基づいて放送対象ごとに計数する機能を有している。この放送前対象ユーザー放送対象投稿数計数部１４７により、放送前においても放送後対象ユーザーに基づいて放送前計数期間における放送対象の投稿数を把握することができる。
【００４６】
放送前対象ユーザー放送対象投稿率演算部１４８は、数３の如く、放送前対象ユーザー放送対象投稿数計数部１４７により計数された全ての放送前対象ユーザーの放送対象ごとの投稿数（Ｙ３）を前記全ての放送前対象ユーザーにおける放送前計数期間の全ての放送対象の投稿数（Ｚ３）で除した放送前対象ユーザー放送対象投稿率（Ｘ３）を演算する機能を有している。
[数３]
Ｘ３＝Ｙ３／Ｚ３
【００４７】
放送前非対象ユーザー抽出部１４８ａは、放送前計数期間における放送前非対象ユーザーを記憶部４０に記憶された放送番組の投稿の有無と投稿を行った投稿ユーザーの情報と投稿の日時に基づいて抽出する機能を有している。放送前非対象ユーザーは、放送前計数期間における全ての投稿ユーザーから放送前対象ユーザー抽出部１４６により抽出された放送前対象ユーザーを除いた投稿ユーザーとなる。
【００４８】
放送前非対象ユーザー放送対象投稿数計数部１４８ｂは、放送前計数期間における放送前非対象ユーザー抽出部１４８ａにより抽出された放送前非対象ユーザーの放送対象ごとの投稿数（Ｙ４）を記憶部４０に記憶された投稿を行った投稿ユーザーの情報と放送対象の投稿の有無と投稿の日時に基づいて計数する機能を有している。
【００４９】
放送前非対象ユーザー放送対象投稿率演算部１４９は、数４の如く、放送前非対象ユーザー放送対象投稿数計数部１４８ｂにより計数された全ての放送前対象ユーザーの放送対象ごとの投稿数（Ｙ４）を前記全ての放送前対象ユーザーの放送前計数期間における全ての放送対象の投稿数（Ｚ４）で除した放送前対象ユーザー放送対象投稿率（Ｘ４）を演算する機能を有している。
[数４]
Ｘ４＝Ｙ４／Ｚ４
【００５０】
第２の放送後対象放送番組投稿数計数部１５０は、第２の放送後計数期間設定部３０により設定された第２の放送後計数期間における対象放送番組の投稿数を計数する機能を有している。
【００５１】
放送後対象放送番組投稿率演算部１６０は、数５の如く、第２の放送後計数期間設定部３０により設定された第２の放送後計数期間における全ての投稿の投稿数（Ｚ５）に対する第２の放送後対象放送番組投稿数計数部１５０により計数された対象放送番組の投稿数（Ｙ５）の比（Ｘ５）を演算する機能を有している。
[数５]
Ｘ５＝Ｙ５／Ｚ５
【００５２】
第２の放送後放送対象投稿数計数部１７０は、第２の放送後計数期間設定部３０により設定された第２の放送後計数期間における放送対象の投稿数を放送対象ごとに計数する機能を有している。
【００５３】
放送後放送対象投稿率演算部１８０は、数６の如く、第２の放送後計数期間設定部３０により設定された第２の放送後計数期間における全ての投稿の投稿数（Ｚ６）に対する第２の放送後放送対象投稿数計数部１７０により計数された放送対象ごとの投稿数（Ｙ６）の比（Ｘ６）を演算する機能を有している。
[数６]
Ｘ６＝Ｙ６／Ｚ６
【００５４】
第２の放送後対象ユーザー数計数部１９０は、第２の放送後計数期間設定部３０により設定された第２の放送後計数期間における対象放送番組の投稿を行った放送後対象ユーザーのユーザー数を抽出し計数する機能を有している。なお、第２の放送後対象ユーザー数計数部１９０による計数についても所定の閾値を設定し、所定数以上の投稿を行った対象ユーザーのみ計数することとしてもよい。
【００５５】
放送後対象ユーザー率演算部２００は、数７の如く、第２の放送後計数期間設定部３０により設定された第２の放送後計数期間における投稿を行った全ての投稿ユーザーのユーザー数（Ｚ７）に対する第２の放送後対象ユーザー数計数部１９０により計数された対象放送番組の投稿を行った放送後対象ユーザーのユーザー数（Ｙ７）の比（Ｘ７）を演算する機能を有している。
[数７]
Ｘ７＝Ｙ７／Ｚ７
【００５６】
第２の放送後非対象ユーザー数計数部２１０は、第２の放送後計数期間設定部３０により設定された第２の放送後計数期間における投稿を行った全ての投稿ユーザーから第２の放送後対象ユーザー数計数部１９０により抽出され計数された放送後対象ユーザーを除いた投稿ユーザーを放送後非対象ユーザーとして抽出し計数する機能を有している。
【００５７】
第２の放送後非対象ユーザー率演算部２２０は、数８の如く、第２の放送後計数期間設定部３０により設定された第２の放送後計数期間における投稿を行った全ての投稿ユーザーのユーザー数（Ｚ８）に対する第２の放送後非対象ユーザー数計数部２１０により計数された対象放送番組の投稿を行った放送後非対象ユーザーのユーザー数（Ｙ８）の比（Ｘ８）を演算する機能を有している。
[数８]
Ｘ８＝Ｙ８／Ｚ８
【００５８】
ここで、上記の如く、対象放送番組は、複数回にわたり放送され、第２の放送後対象放送番組投稿数計数部１５０による計数、放送後対象放送番組投稿率演算部１６０による演算、第２の放送後放送対象投稿数計数部１７０による計数、放送後放送対象投稿率演算部１８０による演算、第２の放送後対象ユーザー数計数部１９０による計数、放送後対象ユーザー率演算部２００による演算は、第１回の放送から最終回の放送まで各放送ごとに行うことができる。ただし、上記計数部１５０，１７０，１９０による計数を第１回の放送から最終回の放送まで積算して行うこととしたり或いは平均して行うこととして上記演算部１６０，１８０，２００による演算を積算した計数値或いは平均した計数値を用いて行うこととしてもよい。
【００５９】
表示部２３０は、上記した計数部５０，６０，７０，１００，１１０，１２０，１４０，１４４ａ，１４７，１５０，１７０，１９０，２１０、演算部１４３，１４５，１４８，１４８ｂ，１４９，１６０，１８０，２００，２２０、抽出部１２５，１４４，１４６，１４８ａにおける処理結果を表示する機能を有している。すなわち、表示部２３０は、表やグラフにより、放送前対象放送番組投稿数計数部５０による対象放送番組の投稿数と第１の放送後対象放送番組投稿数計数部１００の対象放送番組の投稿数とを比較するための表示、放送前放送対象投稿数計数部６０による放送対象の投稿数と第１の放送後放送対象投稿数計数部１１０による放送対象の投稿数とを比較するための表示、放送前対象ユーザー数計数部７０による対象ユーザー数と第１の放送後対象ユーザー数計数部１２０による対象ユーザー数とを比較するための表示、放送後対象ユーザー放送対象投稿数計数部１４０による放送対象の投稿数の放送後対象ユーザーごとの比較をするための表示（例えば、対象放送番組の投稿数が５回以上の放送後対象ユーザーの放送対象の投稿数と対象放送番組の投稿数が１０回以上の放送後対象ユーザーの放送対象の投稿数とを比較するための表示）、放送前対象ユーザー放送対象投稿数計数部１４７による放送対象の投稿数の放送前対象ユーザーごとの比較をするための表示（例えば、対象放送番組の投稿数が５回以上の放送前対象ユーザーの放送対象の投稿数と対象放送番組の投稿数が１０回以上の放送前対象ユーザーの放送対象の投稿数とを比較するための表示）、放送後対象ユーザー放送対象投稿数計数部１４０による放送対象の投稿数と放送前対象ユーザー放送対象投稿数計数部１４７による放送対象の投稿数との比較をおこなうための表示、放送後対象ユーザー放送対象投稿率演算部１４３により演算された放送後対象ユーザー放送対象投稿率（Ｘ１）と放送後非対象ユーザー放送対象投稿率演算部１４５により演算された放送後非対象ユーザー放送対象投稿率（Ｘ２）とを比較するための表示、放送前対象ユーザー放送対象投稿率演算部１４８により演算された放送前対象ユーザー放送対象投稿率（Ｘ３）と放送前非対象ユーザー放送対象投稿率演算部１４９により演算された放送前非対象ユーザー放送対象投稿率（Ｘ４）とを比較するための表示、放送後対象放送番組投稿率演算部１６０により演算された比（Ｘ５）を各対象放送番組において比較するための表示、放送後放送対象投稿率演算部１８０により演算された比（Ｘ６）を各対象放送番組または同一の対象放送番組において比較するための表示、放送後対象ユーザー率演算部２００により演算された比（Ｘ７）を各対象放送番組において比較するための表示、第２の放送後非対象ユーザー率演算部２２０により演算された比（Ｘ８）を各対象放送番組において比較するための表示等を行うことができる。
【００６０】
なお、本実施形態にあっては、対象放送番組の投稿を行った対象ユーザーの放送対象の投稿数の計数を行う放送データ処理装置におけるコンピュータを、放送前計数期間設定部１０、第１の放送後計数期間設定部２０、第２の放送後計数期間設定部３０、記憶部４０、放送前対象放送番組投稿数計数部５０、放送前放送対象投稿数計数部６０、放送前対象ユーザー数計数部７０、第１の放送後対象放送番組投稿数計数部１００、第１の放送後放送対象投稿数計数部１１０、第１の放送後対象ユーザー数計数部１２０、閾値設定部１２３、放送後対象ユーザー抽出部１２５、放送後対象ユーザー放送対象投稿数計数部１４０、放送後対象ユーザー放送対象投稿率演算部１４３、放送後非対象ユーザー抽出部１４４、放送後非対象ユーザー放送対象投稿数計数部１４４ａ、放送後非対象ユーザー放送対象投稿率演算部１４５、放送前対象ユーザー抽出部１４６、放送前対象ユーザー放送対象投稿数計数部１４７、放送前対象ユーザー放送対象投稿率演算部１４８、放送前非対象ユーザー抽出部１４８ａ、放送前非対象ユーザー放送対象投稿数計数部１４８ｂ、放送前非対象ユーザー放送対象投稿率演算部１４９、第２の放送後対象放送番組投稿数計数部１５０、放送後対象放送番組投稿率演算部１６０、第２の放送後放送対象投稿数計数部１７０、放送後放送対象投稿率演算部１８０、第２の放送後対象ユーザー数計数部１９０、放送後対象ユーザー率演算部２００、第２の放送後非対象ユーザー数計数部２１０、第２の放送後非対象ユーザー率演算部２２０、表示部２３０として機能させるプログラムがメモリ上に記憶されており、プログラムを実行することにより、各機能部１０乃至２３０を機能させることができる。
【００６１】
次に、放送データ処理装置１による処理フローを図８および図９のフローチャートに基づいて詳細に説明する。
すなわち、まずステップＳ１０において、放送前計数期間設定部１０、第１の放送後計数期間設定部２０、および第２の放送後計数期間設定部３０が、放送前計数期間、第１の放送後計数期間、および第２の放送後計数期間を設定する。また、閾値設定部１２３が、所定の閾値を設定する。なお、計数期間および閾値は、オペレータが入力装置を操作して入力し、計数期間設定部１０，２０，３０および閾値設定部１２３が設定を行う。
【００６２】
次に、ステップＳ２０において、放送前対象放送番組投稿数計数部５０が、ステップＳ１０で設定された放送前計数期間における対象放送番組の投稿数を記憶部４０に記憶された放送番組の投稿の有無と投稿の日時に基づいて計数する。
【００６３】
次いで、ステップＳ３０において、放送前放送対象投稿数計数部６０が、ステップＳ１０で設定された放送前計数期間における放送対象の投稿数を記憶部４０に記憶された放送対象の投稿の有無と投稿の日時に基づいて放送対象ごとに計数する。
【００６４】
続いて、ステップＳ４０において、放送前対象ユーザー数計数部７０が、ステップＳ１０で設定された放送前計数期間における対象放送番組の投稿を行った対象ユーザーのユーザー数を記憶部４０に記憶された放送番組の投稿の有無と投稿を行った投稿ユーザーの情報と投稿の日時に基づいて計数する。
【００６５】
そして、ステップＳ５０において、第１の放送後対象放送番組投稿数計数部１００が、ステップＳ１０で設定された第１の放送後計数期間における対象放送番組の投稿数を記憶部４０に記憶された放送番組の投稿の有無と投稿の日時に基づいて計数する。
【００６６】
次に、ステップＳ６０において、第１の放送後放送対象投稿数計数部１１０が、ステップＳ１０で設定された第１の放送後計数期間における放送対象の投稿数を記憶部４０に記憶された放送対象の投稿の有無と投稿の日時に基づいて放送対象ごとに計数する。
【００６７】
次いで、ステップＳ７０において、第１の放送後対象ユーザー数計数部１２０が、ステップＳ１０で設定された第１の放送後計数期間における対象放送番組の投稿を行った対象ユーザーのユーザー数を記憶部４０に記憶された放送番組の投稿の有無と投稿を行った投稿ユーザーの情報と投稿の日時に基づいて計数する。
【００６８】
続いて、ステップＳ８０において、放送後対象ユーザー抽出部１２５が、ステップＳ１０で設定された第１の放送後計数期間における対象放送番組の投稿を行った放送後対象ユーザーを抽出する。この抽出は、ステップＳ１０で設定された閾値以上の投稿数となる対象ユーザーのみを抽出する。
【００６９】
次いで、ステップＳ９０において、放送後対象ユーザー放送対象投稿数計数部１４０が、ステップＳ８０で抽出された全ての放送後対象ユーザーの放送対象の投稿数を放送対象ごとに計数する。
【００７０】
続いて、ステップＳ１００において、放送後対象ユーザー放送対象投稿率演算部１４３が、数１の演算を行う。
【００７１】
そして、ステップＳ１１０において、放送後非対象ユーザー抽出部１４４が、ステップＳ１０で設定された第１の放送後計数期間における放送後非対象ユーザーを抽出するとともに、放送後非対象ユーザー放送対象投稿数計数部１４４ａが、前記抽出された放送後非対象ユーザーの第１の放送後計数期間における放送対象ごとの投稿数（Ｙ２）を計数し、放送後非対象ユーザー放送対象投稿率演算部１４５が、数２の演算を行う。
【００７２】
次に、ステップＳ１２０において、放送前対象ユーザー抽出部１４６が、ステップＳ１０で設定された放送前計数期間における放送前対象ユーザーを抽出するとともに、放送前対象ユーザー放送対象投稿数計数部１４７が、前記抽出された放送前対象ユーザーの放送前計数期間における放送対象の投稿数を該放送対象ごとに計数する。
【００７３】
次いで、ステップＳ１３０において、放送前対象ユーザー放送対象投稿率演算部１４８が、数３の演算を行う。
【００７４】
続いて、ステップＳ１４０において、放送前非対象ユーザー抽出部１４８ａが、ステップＳ１０で設定された放送前計数期間における放送前非対象ユーザーを抽出するとともに、放送前非対象ユーザー放送対象投稿数計数部１４８ｂが、放送前計数期間における前記抽出された放送前非対象ユーザーの放送対象ごとの投稿数（Ｙ４）を計数し、放送前非対象ユーザー放送対象投稿率演算部１４９が、数４の演算を行う。
【００７５】
次に、ステップＳ１５０において、第２の放送後対象放送番組投稿数計数部１５０が、ステップＳ１０で設定された第２の放送後計数期間における対象放送番組の投稿数を計数する。
【００７６】
続いて、ステップＳ１６０において、放送後対象放送番組投稿率演算部１６０が、数５の演算を行う。
【００７７】
そして、ステップＳ１７０において、第２の放送後放送対象投稿数計数部１７０が、ステップＳ１０で設定された第２の放送後計数期間における放送対象の投稿数を放送対象ごとに計数する。
【００７８】
次に、ステップＳ１８０において、放送後放送対象投稿率演算部１８０が、数６の演算を行う。
【００７９】
次いで、ステップＳ１９０において、第２の放送後対象ユーザー数計数部１９０が、ステップＳ１０で設定された第２の放送後計数期間における対象放送番組の投稿を行った対象ユーザーのユーザー数を計数する。
【００８０】
続いて、ステップＳ２００において、放送後対象ユーザー率演算部２００が、数７の演算を行う。
【００８１】
そして、ステップＳ２１０において、第２の放送後非対象ユーザー数計数部２１０が、ステップＳ１０で設定された第２の放送後計数期間における放送後非対象ユーザーを計数する。
【００８２】
次いで、ステップＳ２２０において、第２の放送後非対象ユーザー率演算部２２０が、数８の演算を行う。
【００８３】
次に、ステップＳ２３０において、表示部２３０が、計数部５０，６０，７０，１００，１１０，１２０，１４０，１４４ａ，１４７，１５０，１７０，１９０，２１０、演算部１４３，１４５，１４８，１４８ｂ，１４９，１６０，１８０，２００，２２０、抽出部１２５，１４４，１４６，１４８ａにおける処理結果を表示する。
【００８４】
以上説明したように、本実施形態によれば、対象放送番組の放送の前後における対象放送番組の投稿を行った対象ユーザーの放送対象の投稿数の計数を行うこととしたので、より詳しくは、対象放送番組の放送前における計数を行うための放送前計数期間を設定する放送前計数期間設定部１０と、対象放送番組の放送後における計数を行うための第１の放送後計数期間を設定する第１の放送後計数期間設定部２０と、放送前計数期間における対象放送番組の投稿を行った放送前対象ユーザーを抽出する放送前対象ユーザー抽出部１４６と、放送前対象ユーザー抽出部１４６により抽出された放送前対象ユーザーの放送前計数期間における放送対象の投稿数を計数する放送前対象ユーザー放送対象投稿数計数部１４７と、第１の放送後計数期間における対象放送番組の投稿を行った放送後対象ユーザーを抽出する放送後対象ユーザー抽出部１２５と、放送後対象ユーザー抽出部１２５により抽出された放送後対象ユーザーの第１の放送後計数期間における放送対象の投稿数を計数する放送後対象ユーザー放送対象投稿数計数部１４０と、を有することとしたので、対象放送番組の放送の前後における対象ユーザーの放送対象の投稿数の比較を行うことができ、放送対象に対する放送番組の広告宣伝効果やスポンサード効果（番組を提供するタイム広告の効果）の評価を行うことができる。
【００８５】
また、放送前対象ユーザー抽出部１４６は、放送前計数期間における投稿ユーザーから放送後対象ユーザー抽出部１２５により抽出された放送後対象ユーザーと重複する投稿ユーザーを放送前対象ユーザーとして抽出し、放送前対象ユーザー放送対象投稿数計数部１４７は、放送後対象ユーザー抽出部１２５により抽出された放送後対象ユーザーと重複する放送前対象ユーザーの放送前計数期間における放送対象の投稿数を計数することとしたので、対象放送番組の放送の前後における対象ユーザーの放送対象の投稿数の比較を精度よく行うことができる。
【００８６】
また、放送後対象ユーザー抽出部１２５は、対象放送番組の投稿数が所定の閾値以上の投稿数となる対象ユーザーを抽出することとしたので、閾値を任意に設定する等することにより、放送対象に対する対象ユーザーの対象放送番組における投稿数の影響を精度よく評価することができる。すなわち、本発明者により、対象放送番組の投稿数が多い対象ユーザー程、その対象放送番組に関わる放送対象に興味や関心を持っている可能性が高いことが把握されており、放送対象に対する放送番組の広告宣伝効果の評価を精度よく行うことができる。対象放送番組の投稿数は、２回以上（複数回）の投稿数とすることが好ましく、５回以上の投稿数とし、更には１０回以上の投稿数とすることにより更に好適となる。
【００８７】
更に、放送前計数期間における投稿ユーザーから放送前対象ユーザー抽出部１４６により抽出された放送前対象ユーザーを除いた投稿ユーザーを放送前非対象ユーザーとして抽出する放送前非対象ユーザー抽出部１４８ａと、放送前計数期間における放送前非対象ユーザー抽出部１４８ａにより抽出された放送前非対象ユーザーの放送対象の投稿数を計数する放送前非対象ユーザー放送対象投稿数計数部１４８ｂと、を有することとしたので、放送前において対象ユーザーと非対象ユーザーの放送対象の投稿数の比較を行うことができる。
【００８８】
また、第１の放送後計数期間における投稿ユーザーから放送後対象ユーザー抽出部１２５により抽出された放送後対象ユーザーを除いた投稿ユーザーを放送後非対象ユーザーとして抽出する放送後非対象ユーザー抽出部１４４と、第１の放送後計数期間における放送後非対象ユーザー抽出部１４４により抽出された放送後非対象ユーザーの放送対象の投稿数を計数する放送後非対象ユーザー放送対象投稿数計数部１４４ａと、を有することとしたので、放送後において対象ユーザーと非対象ユーザーの放送対象の投稿数の比較を行うことができる。
【００８９】
更に、対象放送番組の放映時間に所定の付加時間を加えた時間で定義される第２の放送後計数期間を設定する第２の放送後計数期間設定部３０を有するとともに、第２の放送後計数期間設定部３０により設定された第２の放送後計数期間における対象放送番組の投稿数を計数する放送後対象放送番組投稿数計数部１５０を有することとしたので、番組放映中における対象放送番組の投稿数を把握することができる。
【００９０】
更にまた、第２の放送後計数期間設定部３０により設定された第２の放送後計数期間における放送対象の投稿数を計数する第２の放送後放送対象投稿数計数部１７０を有することとしたので、番組放映中における放送対象の投稿数を把握することができる。
【００９１】
また、第２の放送後計数期間設定部３０により設定された第２の放送後計数期間における対象放送番組の投稿を行った対象ユーザーのユーザー数を計数する放送後対象ユーザー数計数部１９０を有することとしたので、番組放映中における対象放送番組の対象ユーザーのユーザー数を把握することができる。
【００９２】
なお、本発明は、上述した実施形態に限定されることなく種々の変形実施、応用実施が可能であることは勿論である。
例えば、上述した実施形態にあっては、放送前対象ユーザー抽出部１４６は、放送前計数期間における全ての投稿ユーザーから放送後対象ユーザー抽出部１２５により抽出された放送後対象ユーザーと重複する投稿ユーザーを放送前対象ユーザーとして抽出することとしているが、図１０に示すように、放送後対象ユーザーと重複する場合に限らず単に放送前計数期間において対象放送番組の投稿（詳しくは放送前計数期間における番組予告ＣＭ等に対する投稿）を行った投稿ユーザーを記憶部４０に記憶された放送番組の投稿の有無と投稿を行った投稿ユーザーの情報と投稿の日時に基づいて放送前対象ユーザーとして抽出することとしてもよい（図１０の変形例においては、放送前対象ユーザーは、放送後対象ユーザーと重複するか否かに関わらず放送前計数期間において独立に対象放送番組の投稿（詳しくは放送前計数期間における番組予告ＣＭ等に対する投稿）を行った投稿ユーザーを放送前対象ユーザーとして抽出する）。なお、この場合においても、放送前対象ユーザー抽出部１４６は、対象放送番組の投稿数が所定の閾値以上の投稿数となる対象ユーザーのみを抽出することとしてもよい。上記の如く、対象放送番組の放送前においても番組予告ＣＭ等により宣伝がされることがあり、当該対象放送番組に対する投稿がされることがある。
【産業上の利用可能性】
【００９３】
本発明は、放送対象に対する放送番組の広告宣伝効果を評価することができ、放送業界の発展に大きく貢献する。
【符号の説明】
【００９４】
１：放送データ処理装置
１０：放送前計数期間設定部
２０：第１の放送後計数期間設定部
３０：第２の放送後計数期間設定部
４０：記憶部
５０：放送前対象放送番組投稿数計数部
６０：放送前放送対象投稿数計数部
７０：放送前対象ユーザー数計数部
１００：第１の放送後対象放送番組投稿数計数部
１１０：第１の放送後放送対象投稿数計数部
１２０：第１の放送後対象ユーザー数計数部
１２３：閾値設定部
１２５：放送後対象ユーザー抽出部
１４０：放送後対象ユーザー放送対象投稿数計数部
１４４：放送後非対象ユーザー抽出部
１４４ａ：放送後非対象ユーザー放送対象投稿数計数部
１４３：放送後対象ユーザー放送対象投稿率演算部
１４５：放送後非対象ユーザー放送対象投稿率演算部
１４６：放送前対象ユーザー抽出部
１４７：放送前対象ユーザー放送対象投稿数計数部
１４８：放送前対象ユーザー放送対象投稿率演算部
１４８ａ：放送前非対象ユーザー抽出部
１４８ｂ：放送前非対象ユーザー放送対象投稿数計数部
１４９：放送前非対象ユーザー放送対象投稿率演算部
１５０：第２の放送後対象放送番組投稿数計数部
１６０：放送後対象放送番組投稿率演算部
１７０：第２の放送後放送対象投稿数計数部
１８０：放送後放送対象投稿率演算部
１９０：第２の放送後対象ユーザー数計数部
２００：放送後対象ユーザー率演算部
２１０：第２の放送後非対象ユーザー数計数部
２２０：第２の放送後非対象ユーザー率演算部
２３０：表示部
【図１】
2019003595.tif 000003
【図２】
2019003595.tif 000004
【図３】
2019003595.tif 000005
【図４】
2019003595.tif 000006
【図５】
2019003595.tif 000007
【図６】
2019003595.tif 000008
【図７】
2019003595.tif 000009
【図８】
2019003595.tif 000010
【図９】
2019003595.tif 000011
【図１０】
2019003595.tif 000012
【手続補正書】
【提出日】平成30年1月16日(2018.1.16)
【手続補正１】
【補正対象書類名】特許請求の範囲
【補正対象項目名】全文
【補正方法】変更
【補正の内容】
【特許請求の範囲】
【請求項１】
対象ユーザーの放送対象の投稿数の計数を行う放送データ処理装置であって、
対象放送番組の放送前における計数を行うための放送前計数期間を設定する放送前計数期間設定部と、
前記対象放送番組の放送後における計数を行うための第１の放送後計数期間を設定する第１の放送後計数期間設定部と、
前記放送前計数期間における前記対象放送番組の投稿を行った放送前対象ユーザーを抽出する放送前対象ユーザー抽出部と、
前記放送前対象ユーザー抽出部により抽出された放送前対象ユーザーの前記放送前計数期間における前記放送対象の投稿数を計数する放送前対象ユーザー放送対象投稿数計数部と、
前記第１の放送後計数期間における前記対象放送番組の投稿を行った放送後対象ユーザーを抽出する放送後対象ユーザー抽出部と、
前記放送後対象ユーザー抽出部により抽出された放送後対象ユーザーの前記第１の放送後計数期間における前記放送対象の投稿数を計数する放送後対象ユーザー放送対象投稿数計数部と、
を有し、
前記放送前対象ユーザー抽出部は、前記放送前計数期間における投稿ユーザーから前記放送後対象ユーザー抽出部により抽出された放送後対象ユーザーと重複する投稿ユーザーを前記放送前対象ユーザーとして抽出し、前記放送前対象ユーザー放送対象投稿数計数部は、前記放送後対象ユーザー抽出部により抽出された放送後対象ユーザーと重複する前記放送前計数期間における投稿ユーザーの前記放送対象の投稿数を計数することを特徴とする放送データ処理装置。
【請求項２】
対象ユーザーの放送対象の投稿数の計数を行う放送データ処理装置であって、
対象放送番組の放送前における計数を行うための放送前計数期間を設定する放送前計数期間設定部と、
前記対象放送番組の放送後における計数を行うための第１の放送後計数期間を設定する第１の放送後計数期間設定部と、
前記放送前計数期間における前記対象放送番組の投稿を行った放送前対象ユーザーを抽出する放送前対象ユーザー抽出部と、
前記放送前対象ユーザー抽出部により抽出された放送前対象ユーザーの前記放送前計数期間における前記放送対象の投稿数を計数する放送前対象ユーザー放送対象投稿数計数部と、
前記第１の放送後計数期間における前記対象放送番組の投稿を行った放送後対象ユーザーを抽出する放送後対象ユーザー抽出部と、
前記放送後対象ユーザー抽出部により抽出された放送後対象ユーザーの前記第１の放送後計数期間における前記放送対象の投稿数を計数する放送後対象ユーザー放送対象投稿数計数部と、
を有し、
前記放送後対象ユーザー抽出部は、前記対象放送番組の投稿数が複数回となる対象ユーザーを抽出することを特徴とする放送データ処理装置。
【請求項３】
対象ユーザーの放送対象の投稿数の計数を行う放送データ処理装置であって、
対象放送番組の放送前における計数を行うための放送前計数期間を設定する放送前計数期間設定部と、
前記対象放送番組の放送後における計数を行うための第１の放送後計数期間を設定する第１の放送後計数期間設定部と、
前記放送前計数期間における前記対象放送番組の投稿を行った放送前対象ユーザーを抽出する放送前対象ユーザー抽出部と、
前記放送前対象ユーザー抽出部により抽出された放送前対象ユーザーの前記放送前計数期間における前記放送対象の投稿数を計数する放送前対象ユーザー放送対象投稿数計数部と、
前記第１の放送後計数期間における前記対象放送番組の投稿を行った放送後対象ユーザーを抽出する放送後対象ユーザー抽出部と、
前記放送後対象ユーザー抽出部により抽出された放送後対象ユーザーの前記第１の放送後計数期間における前記放送対象の投稿数を計数する放送後対象ユーザー放送対象投稿数計数部と、
を有し、
更に、前記放送前計数期間における投稿ユーザーから放送前対象ユーザー抽出部により抽出された放送前対象ユーザーを除いた投稿ユーザーを放送前非対象ユーザーとして抽出する放送前非対象ユーザー抽出部と、前記放送前計数期間における前記放送前非対象ユーザー抽出部により抽出された放送前非対象ユーザーの放送対象の投稿数を計数する放送前非対象ユーザー放送対象投稿数計数部と、を有することを特徴とする放送データ処理装置。
【請求項４】
対象ユーザーの放送対象の投稿数の計数を行う放送データ処理装置であって、
対象放送番組の放送前における計数を行うための放送前計数期間を設定する放送前計数期間設定部と、
前記対象放送番組の放送後における計数を行うための第１の放送後計数期間を設定する第１の放送後計数期間設定部と、
前記放送前計数期間における前記対象放送番組の投稿を行った放送前対象ユーザーを抽出する放送前対象ユーザー抽出部と、
前記放送前対象ユーザー抽出部により抽出された放送前対象ユーザーの前記放送前計数期間における前記放送対象の投稿数を計数する放送前対象ユーザー放送対象投稿数計数部と、
前記第１の放送後計数期間における前記対象放送番組の投稿を行った放送後対象ユーザーを抽出する放送後対象ユーザー抽出部と、
前記放送後対象ユーザー抽出部により抽出された放送後対象ユーザーの前記第１の放送後計数期間における前記放送対象の投稿数を計数する放送後対象ユーザー放送対象投稿数計数部と、
を有し、
更に、前記第１の放送後計数期間における投稿ユーザーから前記放送後対象ユーザー抽出部により抽出された放送後対象ユーザーを除いた投稿ユーザーを放送後非対象ユーザーとして抽出する放送後非対象ユーザー抽出部と、前記第１の放送後計数期間における前記放送後非対象ユーザー抽出部により抽出された放送後非対象ユーザーの放送対象の投稿数を計数する放送後非対象ユーザー放送対象投稿数計数部と、を有することを特徴とする放送データ処理装置。
【請求項５】
前記対象放送番組は、複数回にわたり放送され、前記第１の放送後計数期間は、前記複数回にわたる放送の第１回から最終回までの期間として定義される基本計数期間に所定の付加期間を加えた期間とすることを特徴とする請求項１乃至請求項４のうちいずれか一項に記載の放送データ処理装置。
【請求項６】
前記所定の付加期間は、１ケ月以内とすることを特徴とする請求項５に記載の放送データ処理装置。
【請求項７】
前記所定の付加期間は、１週間以内とすることを特徴とする請求項６に記載の放送データ処理装置。
【請求項８】
前記放送前計数期間は、前記基本計数期間とすることを特徴とする請求項５乃至請求項７のうちいずれか一項に記載の放送データ処理装置。
【請求項９】
前記対象放送番組の放映時間に所定の付加時間を加えた時間で定義される第２の放送後計数期間を設定する第２の放送後計数期間設定部を有するとともに、
前記第２の放送後計数期間設定部により設定された第２の放送後計数期間における前記対象放送番組の投稿数を計数する第２の放送後対象放送番組投稿数計数部を有することを特徴とする請求項１乃至請求項８のうちいずれか一項に記載の放送データ処理装置。
【請求項１０】
前記第２の放送後計数期間設定部により設定された第２の放送後計数期間における前記放送対象の投稿数を計数する第２の放送後放送対象投稿数計数部を有することを特徴とする請求項１乃至請求項９のうちいずれか一項に記載の放送データ処理装置。
【請求項１１】
前記第２の放送後計数期間設定部により設定された第２の放送後計数期間における前記対象放送番組の投稿を行った対象ユーザーのユーザー数を計数する第２の放送後対象ユーザー数計数部を有することを特徴とする請求項１乃至請求項１０のうちいずれか一項に記載の放送データ処理装置。
【請求項１２】
前記所定の付加時間は、６０分以内とすることを特徴とする請求項９乃至請求項１１のうちいずれか一項に記載のデータ処理装置。
【請求項１３】
前記所定の付加時間は、更に１０分以内とすることを特徴とする請求項１２に記載のデータ処理装置。
【請求項１４】
前記放送対象は、放送番組に関わる団体、企業、有名人、芸能人、タレント、商品名、役務名、施設、場所、またはブランド名とすることを特徴とする請求項１乃至請求項１３のうちいずれか一項に記載の放送データ処理装置。
【請求項１５】
前記投稿は、Ｗｅｂ上の投稿とすることを特徴とする請求項１乃至請求項１４のうちいずれか一項に記載の放送データ処理装置。
【請求項１６】
前記Ｗｅｂ上の投稿は、ソーシャルネットワーキングサービスにおける投稿とすることを特徴とする請求項１５に記載の放送データ処理装置。
【請求項１７】
対象ユーザーの放送対象の投稿数の計数を行う放送データ処理装置におけるコンピュータを、
対象放送番組の放送前における計数を行うための放送前計数期間を設定する放送前計数期間設定部と、
前記対象放送番組の放送後における計数を行うための第１の放送後計数期間を設定する第１の放送後計数期間設定部と、
前記放送前計数期間における前記対象放送番組の投稿を行った放送前対象ユーザーを抽出する放送前対象ユーザー抽出部と、
前記放送前対象ユーザー抽出部により抽出された放送前対象ユーザーの前記放送前計数期間における前記放送対象の投稿数を計数する放送前対象ユーザー放送対象投稿数計数部と、
前記第１の放送後計数期間における前記対象放送番組の投稿を行った放送後対象ユーザーを抽出する放送後対象ユーザー抽出部と、
前記放送後対象ユーザー抽出部により抽出された放送後対象ユーザーの前記第１の放送後計数期間における前記放送対象の投稿数を計数する放送後対象ユーザー放送対象投稿数計数部として機能させるとともに、
前記放送前対象ユーザー抽出部は、前記放送前計数期間における投稿ユーザーから前記放送後対象ユーザー抽出部により抽出された放送後対象ユーザーと重複する投稿ユーザーを前記放送前対象ユーザーとして抽出するように機能し、前記放送前対象ユーザー放送対象投稿数計数部は、前記放送後対象ユーザー抽出部により抽出された放送後対象ユーザーと重複する前記放送前計数期間における投稿ユーザーの前記放送対象の投稿数を計数するように機能することを特徴とするプログラム。
【請求項１８】
対象ユーザーの放送対象の投稿数の計数を行う放送データ処理装置におけるコンピュータを、
対象放送番組の放送前における計数を行うための放送前計数期間を設定する放送前計数期間設定部と、
前記対象放送番組の放送後における計数を行うための第１の放送後計数期間を設定する第１の放送後計数期間設定部と、
前記放送前計数期間における前記対象放送番組の投稿を行った放送前対象ユーザーを抽出する放送前対象ユーザー抽出部と、
前記放送前対象ユーザー抽出部により抽出された放送前対象ユーザーの前記放送前計数期間における前記放送対象の投稿数を計数する放送前対象ユーザー放送対象投稿数計数部と、
前記第１の放送後計数期間における前記対象放送番組の投稿を行った放送後対象ユーザーを抽出する放送後対象ユーザー抽出部と、
前記放送後対象ユーザー抽出部により抽出された放送後対象ユーザーの前記第１の放送後計数期間における前記放送対象の投稿数を計数する放送後対象ユーザー放送対象投稿数計数部として機能させるとともに、
前記放送後対象ユーザー抽出部は、前記対象放送番組の投稿数が複数回となる対象ユーザーを抽出するように機能することを特徴とするプログラム。
【請求項１９】
対象ユーザーの放送対象の投稿数の計数を行う放送データ処理装置におけるコンピュータを、
対象放送番組の放送前における計数を行うための放送前計数期間を設定する放送前計数期間設定部と、
前記対象放送番組の放送後における計数を行うための第１の放送後計数期間を設定する第１の放送後計数期間設定部と、
前記放送前計数期間における前記対象放送番組の投稿を行った放送前対象ユーザーを抽出する放送前対象ユーザー抽出部と、
前記放送前対象ユーザー抽出部により抽出された放送前対象ユーザーの前記放送前計数期間における前記放送対象の投稿数を計数する放送前対象ユーザー放送対象投稿数計数部と、
前記第１の放送後計数期間における前記対象放送番組の投稿を行った放送後対象ユーザーを抽出する放送後対象ユーザー抽出部と、
前記放送後対象ユーザー抽出部により抽出された放送後対象ユーザーの前記第１の放送後計数期間における前記放送対象の投稿数を計数する放送後対象ユーザー放送対象投稿数計数部として機能させるとともに、
更に、前記放送前計数期間における投稿ユーザーから放送前対象ユーザー抽出部により抽出された放送前対象ユーザーを除いた投稿ユーザーを放送前非対象ユーザーとして抽出する放送前非対象ユーザー抽出部と、前記放送前計数期間における前記放送前非対象ユーザー抽出部により抽出された放送前非対象ユーザーの放送対象の投稿数を計数する放送前非対象ユーザー放送対象投稿数計数部として機能させることを特徴とするプログラム。
【請求項２０】
対象ユーザーの放送対象の投稿数の計数を行う放送データ処理装置におけるコンピュータを、
対象放送番組の放送前における計数を行うための放送前計数期間を設定する放送前計数期間設定部と、
前記対象放送番組の放送後における計数を行うための第１の放送後計数期間を設定する第１の放送後計数期間設定部と、
前記放送前計数期間における前記対象放送番組の投稿を行った放送前対象ユーザーを抽出する放送前対象ユーザー抽出部と、
前記放送前対象ユーザー抽出部により抽出された放送前対象ユーザーの前記放送前計数期間における前記放送対象の投稿数を計数する放送前対象ユーザー放送対象投稿数計数部と、
前記第１の放送後計数期間における前記対象放送番組の投稿を行った放送後対象ユーザーを抽出する放送後対象ユーザー抽出部と、
前記放送後対象ユーザー抽出部により抽出された放送後対象ユーザーの前記第１の放送後計数期間における前記放送対象の投稿数を計数する放送後対象ユーザー放送対象投稿数計数部と、
を有し、
更に、前記第１の放送後計数期間における投稿ユーザーから前記放送後対象ユーザー抽出部により抽出された放送後対象ユーザーを除いた投稿ユーザーを放送後非対象ユーザーとして抽出する放送後非対象ユーザー抽出部と、前記第１の放送後計数期間における前記放送後非対象ユーザー抽出部により抽出された放送後非対象ユーザーの放送対象の投稿数を計数する放送後非対象ユーザー放送対象投稿数計数部として機能させることを特徴とするプログラム。
【手続補正２】
【補正対象書類名】明細書
【補正対象項目名】０００６
【補正方法】変更
【補正の内容】
【０００６】
上記目的を達成するために、放送データ処理装置に係る請求項１の発明は、対象ユーザーの放送対象の投稿数の計数を行う放送データ処理装置であって、対象放送番組の放送前における計数を行うための放送前計数期間を設定する放送前計数期間設定部と、前記対象放送番組の放送後における計数を行うための第１の放送後計数期間を設定する第１の放送後計数期間設定部と、前記放送前計数期間における前記対象放送番組の投稿を行った放送前対象ユーザーを抽出する放送前対象ユーザー抽出部と、前記放送前対象ユーザー抽出部により抽出された放送前対象ユーザーの前記放送前計数期間における前記放送対象の投稿数を計数する放送前対象ユーザー放送対象投稿数計数部と、前記第１の放送後計数期間における前記対象放送番組の投稿を行った放送後対象ユーザーを抽出する放送後対象ユーザー抽出部と、前記放送後対象ユーザー抽出部により抽出された放送後対象ユーザーの前記第１の放送後計数期間における前記放送対象の投稿数を計数する放送後対象ユーザー放送対象投稿数計数部と、を有し、前記放送前対象ユーザー抽出部は、前記放送前計数期間における投稿ユーザーから前記放送後対象ユーザー抽出部により抽出された放送後対象ユーザーと重複する投稿ユーザーを前記放送前対象ユーザーとして抽出し、前記放送前対象ユーザー放送対象投稿数計数部は、前記放送後対象ユーザー抽出部により抽出された放送後対象ユーザーと重複する前記放送前計数期間における投稿ユーザーの前記放送対象の投稿数を計数することを特徴とする。
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】変更
【補正の内容】
【０００８】
本発明によれば、対象放送番組の放送前における計数を行うための放送前計数期間を設定する放送前計数期間設定部と、前記対象放送番組の放送後における計数を行うための第１の放送後計数期間を設定する第１の放送後計数期間設定部と、前記放送前計数期間における前記対象放送番組の投稿を行った放送前対象ユーザーを抽出する放送前対象ユーザー抽出部と、前記放送前対象ユーザー抽出部により抽出された放送前対象ユーザーの前記放送前計数期間における前記放送対象の投稿数を計数する放送前対象ユーザー放送対象投稿数計数部と、
前記第１の放送後計数期間における前記対象放送番組の投稿を行った放送後対象ユーザーを抽出する放送後対象ユーザー抽出部と、前記放送後対象ユーザー抽出部により抽出された放送後対象ユーザーの前記第１の放送後計数期間における前記放送対象の投稿数を計数する放送後対象ユーザー放送対象投稿数計数部と、を有し、前記放送前対象ユーザー抽出部は、前記放送前計数期間における投稿ユーザーから前記放送後対象ユーザー抽出部により抽出された放送後対象ユーザーと重複する投稿ユーザーを前記放送前対象ユーザーとして抽出し、前記放送前対象ユーザー放送対象投稿数計数部は、前記放送後対象ユーザー抽出部により抽出された放送後対象ユーザーと重複する前記放送前計数期間における投稿ユーザーの前記放送対象の投稿数を計数することとしたので、対象放送番組の放送の前後における対象ユーザーの放送対象の投稿数の比較を行うことができ、放送対象に対する放送番組の広告宣伝効果の評価を行うことができる。
【手続補正５】
【補正対象書類名】明細書
【補正対象項目名】０００９
【補正方法】変更
【補正の内容】
【０００９】
また、放送前対象ユーザー抽出部は、放送前計数期間における投稿ユーザーから放送後対象ユーザー抽出部により抽出された放送後対象ユーザーと重複する投稿ユーザーを放送前対象ユーザーとして抽出し、放送前対象ユーザー放送対象投稿数計数部は、放送後対象ユーザー抽出部により抽出された放送後対象ユーザーと重複する放送前計数期間における投稿ユーザーの放送対象の投稿数を計数することとしたので、対象放送番組の放送の前後における対象ユーザーの放送対象の投稿数の比較を精度よく行うことができる。
【手続補正６】
【補正対象書類名】明細書
【補正対象項目名】００１０
【補正方法】変更
【補正の内容】
【００１０】
上記目的を達成するために、放送データ処理装置に係る請求項２の発明は、対象ユーザーの放送対象の投稿数の計数を行う放送データ処理装置であって、対象放送番組の放送前における計数を行うための放送前計数期間を設定する放送前計数期間設定部と、前記対象放送番組の放送後における計数を行うための第１の放送後計数期間を設定する第１の放送後計数期間設定部と、前記放送前計数期間における前記対象放送番組の投稿を行った放送前対象ユーザーを抽出する放送前対象ユーザー抽出部と、前記放送前対象ユーザー抽出部により抽出された放送前対象ユーザーの前記放送前計数期間における前記放送対象の投稿数を計数する放送前対象ユーザー放送対象投稿数計数部と、前記第１の放送後計数期間における前記対象放送番組の投稿を行った放送後対象ユーザーを抽出する放送後対象ユーザー抽出部と、前記放送後対象ユーザー抽出部により抽出された放送後対象ユーザーの前記第１の放送後計数期間における前記放送対象の投稿数を計数する放送後対象ユーザー放送対象投稿数計数部と、を有し、前記放送後対象ユーザー抽出部は、前記対象放送番組の投稿数が複数回となる対象ユーザーを抽出することを特徴とする。
本発明によれば、対象放送番組の放送前における計数を行うための放送前計数期間を設定する放送前計数期間設定部と、前記対象放送番組の放送後における計数を行うための第１の放送後計数期間を設定する第１の放送後計数期間設定部と、前記放送前計数期間における前記対象放送番組の投稿を行った放送前対象ユーザーを抽出する放送前対象ユーザー抽出部と、前記放送前対象ユーザー抽出部により抽出された放送前対象ユーザーの前記放送前計数期間における前記放送対象の投稿数を計数する放送前対象ユーザー放送対象投稿数計数部と、前記第１の放送後計数期間における前記対象放送番組の投稿を行った放送後対象ユーザーを抽出する放送後対象ユーザー抽出部と、前記放送後対象ユーザー抽出部により抽出された放送後対象ユーザーの前記第１の放送後計数期間における前記放送対象の投稿数を計数する放送後対象ユーザー放送対象投稿数計数部と、を有し、前記放送後対象ユーザー抽出部は、前記対象放送番組の投稿数が複数回となる対象ユーザーを抽出することとしたので、閾値を任意に設定する等することにより、放送対象に対する対象ユーザーの対象放送番組における投稿数の影響を精度よく評価することができる。
【手続補正７】
【補正対象書類名】明細書
【補正対象項目名】００１１
【補正方法】変更
【補正の内容】
【００１１】
上記目的を達成するために、放送データ処理装置に係る請求項３の発明は、対象ユーザーの放送対象の投稿数の計数を行う放送データ処理装置であって、対象放送番組の放送前における計数を行うための放送前計数期間を設定する放送前計数期間設定部と、前記対象放送番組の放送後における計数を行うための第１の放送後計数期間を設定する第１の放送後計数期間設定部と、前記放送前計数期間における前記対象放送番組の投稿を行った放送前対象ユーザーを抽出する放送前対象ユーザー抽出部と、前記放送前対象ユーザー抽出部により抽出された放送前対象ユーザーの前記放送前計数期間における前記放送対象の投稿数を計数する放送前対象ユーザー放送対象投稿数計数部と、前記第１の放送後計数期間における前記対象放送番組の投稿を行った放送後対象ユーザーを抽出する放送後対象ユーザー抽出部と、前記放送後対象ユーザー抽出部により抽出された放送後対象ユーザーの前記第１の放送後計数期間における前記放送対象の投稿数を計数する放送後対象ユーザー放送対象投稿数計数部と、を有し、更に、前記放送前計数期間における投稿ユーザーから放送前対象ユーザー抽出部により抽出された放送前対象ユーザーを除いた投稿ユーザーを放送前非対象ユーザーとして抽出する放送前非対象ユーザー抽出部と、前記放送前計数期間における前記放送前非対象ユーザー抽出部により抽出された放送前非対象ユーザーの放送対象の投稿数を計数する放送前非対象ユーザー放送対象投稿数計数部と、を有することを特徴とする。
本発明によれば、対象放送番組の放送前における計数を行うための放送前計数期間を設定する放送前計数期間設定部と、前記対象放送番組の放送後における計数を行うための第１の放送後計数期間を設定する第１の放送後計数期間設定部と、前記放送前計数期間における前記対象放送番組の投稿を行った放送前対象ユーザーを抽出する放送前対象ユーザー抽出部と、前記放送前対象ユーザー抽出部により抽出された放送前対象ユーザーの前記放送前計数期間における前記放送対象の投稿数を計数する放送前対象ユーザー放送対象投稿数計数部と、前記第１の放送後計数期間における前記対象放送番組の投稿を行った放送後対象ユーザーを抽出する放送後対象ユーザー抽出部と、前記放送後対象ユーザー抽出部により抽出された放送後対象ユーザーの前記第１の放送後計数期間における前記放送対象の投稿数を計数する放送後対象ユーザー放送対象投稿数計数部と、を有し、更に、前記放送前計数期間における投稿ユーザーから放送前対象ユーザー抽出部により抽出された放送前対象ユーザーを除いた投稿ユーザーを放送前非対象ユーザーとして抽出する放送前非対象ユーザー抽出部と、前記放送前計数期間における前記放送前非対象ユーザー抽出部により抽出された放送前非対象ユーザーの放送対象の投稿数を計数する放送前非対象ユーザー放送対象投稿数計数部と、を有することとしたので、放送前において対象ユーザーと非対象ユーザーの放送対象の投稿数の比較を行うことができる（請求項３）。
【手続補正８】
【補正対象書類名】明細書
【補正対象項目名】００１２
【補正方法】変更
【補正の内容】
【００１２】
上記目的を達成するために、放送データ処理装置に係る請求項４の発明は、対象ユーザーの放送対象の投稿数の計数を行う放送データ処理装置であって、対象放送番組の放送前における計数を行うための放送前計数期間を設定する放送前計数期間設定部と、前記対象放送番組の放送後における計数を行うための第１の放送後計数期間を設定する第１の放送後計数期間設定部と、前記放送前計数期間における前記対象放送番組の投稿を行った放送前対象ユーザーを抽出する放送前対象ユーザー抽出部と、前記放送前対象ユーザー抽出部により抽出された放送前対象ユーザーの前記放送前計数期間における前記放送対象の投稿数を計数する放送前対象ユーザー放送対象投稿数計数部と、前記第１の放送後計数期間における前記対象放送番組の投稿を行った放送後対象ユーザーを抽出する放送後対象ユーザー抽出部と、前記放送後対象ユーザー抽出部により抽出された放送後対象ユーザーの前記第１の放送後計数期間における前記放送対象の投稿数を計数する放送後対象ユーザー放送対象投稿数計数部と、を有し、更に、前記第１の放送後計数期間における投稿ユーザーから前記放送後対象ユーザー抽出部により抽出された放送後対象ユーザーを除いた投稿ユーザーを放送後非対象ユーザーとして抽出する放送後非対象ユーザー抽出部と、前記第１の放送後計数期間における前記放送後非対象ユーザー抽出部により抽出された放送後非対象ユーザーの放送対象の投稿数を計数する放送後非対象ユーザー放送対象投稿数計数部と、を有することを特徴とする。
本発明によれば、対象放送番組の放送前における計数を行うための放送前計数期間を設定する放送前計数期間設定部と、前記対象放送番組の放送後における計数を行うための第１の放送後計数期間を設定する第１の放送後計数期間設定部と、前記放送前計数期間における前記対象放送番組の投稿を行った放送前対象ユーザーを抽出する放送前対象ユーザー抽出部と、前記放送前対象ユーザー抽出部により抽出された放送前対象ユーザーの前記放送前計数期間における前記放送対象の投稿数を計数する放送前対象ユーザー放送対象投稿数計数部と、前記第１の放送後計数期間における前記対象放送番組の投稿を行った放送後対象ユーザーを抽出する放送後対象ユーザー抽出部と、前記放送後対象ユーザー抽出部により抽出された放送後対象ユーザーの前記第１の放送後計数期間における前記放送対象の投稿数を計数する放送後対象ユーザー放送対象投稿数計数部と、を有し、更に、前記第１の放送後計数期間における投稿ユーザーから前記放送後対象ユーザー抽出部により抽出された放送後対象ユーザーを除いた投稿ユーザーを放送後非対象ユーザーとして抽出する放送後非対象ユーザー抽出部と、前記第１の放送後計数期間における前記放送後非対象ユーザー抽出部により抽出された放送後非対象ユーザーの放送対象の投稿数を計数する放送後非対象ユーザー放送対象投稿数計数部と、を有することとしたので、放送後において対象ユーザーと非対象ユーザーの放送対象の投稿数の比較を行うことができる（請求項４）。
【手続補正９】
【補正対象書類名】明細書
【補正対象項目名】００１３
【補正方法】変更
【補正の内容】
【００１３】
対象放送番組は、複数回にわたり放送され、第１の放送後計数期間は、複数回にわたる放送の第１回から最終回までの期間として定義される基本計数期間に所定の付加期間を加えた期間とすることができる（請求項５）。所定の付加期間は、１ケ月以内とすることができ（請求項６）、より詳しくは、１週間以内とすることができる（請求項７）。放送前計数期間は、基本計数期間とすることができる（請求項８）。
【手続補正１０】
【補正対象書類名】明細書
【補正対象項目名】００１４
【補正方法】変更
【補正の内容】
【００１４】
対象放送番組の放映時間に所定の付加時間を加えた時間で定義される第２の放送後計数期間を設定する第２の放送後計数期間設定部を有するとともに、第２の放送後計数期間設定部により設定された第２の放送後計数期間における対象放送番組の投稿数を計数する放送後対象放送番組投稿数計数部を有することとすれば、番組放映中における対象放送番組の投稿数を把握することができる（請求項９）。
【手続補正１１】
【補正対象書類名】明細書
【補正対象項目名】００１５
【補正方法】変更
【補正の内容】
【００１５】
第２の放送後計数期間設定部により設定された第２の放送後計数期間における放送対象の投稿数を計数する放送後放送対象投稿数計数部を有することとすれば、番組放映中における放送対象の投稿数を把握することができる（請求項１０）。
【手続補正１２】
【補正対象書類名】明細書
【補正対象項目名】００１６
【補正方法】変更
【補正の内容】
【００１６】
第２の放送後計数期間設定部により設定された第２の放送後計数期間における対象放送番組の投稿を行った対象ユーザーのユーザー数を計数する放送後対象ユーザー数計数部を有することとすれば、番組放映中における対象放送番組の対象ユーザーのユーザー数を把握することができる（請求項１１）。
【手続補正１３】
【補正対象書類名】明細書
【補正対象項目名】００１７
【補正方法】変更
【補正の内容】
【００１７】
所定の付加時間は、６０分以内とすることができ（請求項１２）、より詳しくは、１０分以内とすることができる（請求項１３）。すなわち、本発明者により、対象放送番組の投稿率、対象ユーザーのユーザー率、および対象放送番組に関わる放送対象の投稿率は、個々の対象放送番組の終了後（個々の放映時間の終了後）６０分を経過することにより、より詳しくは１０分を経過することにより、大幅に低下することが把握されている。
【手続補正１４】
【補正対象書類名】明細書
【補正対象項目名】００１８
【補正方法】変更
【補正の内容】
【００１８】
放送対象は、放送番組に関わる団体、企業、有名人、芸能人、タレント、商品名、役務名、施設、場所、またはブランド名とすることができる（請求項１４）。投稿は、Ｗｅｂ上の投稿とすることができる（請求項１５）。Ｗｅｂ上の投稿は、ソーシャルネットワーキングサービスにおける投稿とすることができる（請求項１６）。
【手続補正１５】
【補正対象書類名】明細書
【補正対象項目名】００１９
【補正方法】変更
【補正の内容】
【００１９】
上記目的を達成するために、プログラムに係る請求項１７の発明は、対象ユーザーの放送対象の投稿数の計数を行う放送データ処理装置におけるコンピュータを、対象放送番組の放送前における計数を行うための放送前計数期間を設定する放送前計数期間設定部と、前記対象放送番組の放送後における計数を行うための第１の放送後計数期間を設定する第１の放送後計数期間設定部と、前記放送前計数期間における前記対象放送番組の投稿を行った放送前対象ユーザーを抽出する放送前対象ユーザー抽出部と、前記放送前対象ユーザー抽出部により抽出された放送前対象ユーザーの前記放送前計数期間における前記放送対象の投稿数を計数する放送前対象ユーザー放送対象投稿数計数部と、前記第１の放送後計数期間における前記対象放送番組の投稿を行った放送後対象ユーザーを抽出する放送後対象ユーザー抽出部と、前記放送後対象ユーザー抽出部により抽出された放送後対象ユーザーの前記第１の放送後計数期間における前記放送対象の投稿数を計数する放送後対象ユーザー放送対象投稿数計数部として機能させるとともに、前記放送前対象ユーザー抽出部は、前記放送前計数期間における投稿ユーザーから前記放送後対象ユーザー抽出部により抽出された放送後対象ユーザーと重複する投稿ユーザーを前記放送前対象ユーザーとして抽出するように機能し、前記放送前対象ユーザー放送対象投稿数計数部は、前記放送後対象ユーザー抽出部により抽出された放送後対象ユーザーと重複する前記放送前計数期間における投稿ユーザーの前記放送対象の投稿数を計数するように機能することを特徴とする。
【手続補正１６】
【補正対象書類名】明細書
【補正対象項目名】００２０
【補正方法】変更
【補正の内容】
【００２０】
上記目的を達成するために、プログラムに係る請求項１８の発明は、対象ユーザーの放送対象の投稿数の計数を行う放送データ処理装置におけるコンピュータを、対象放送番組の放送前における計数を行うための放送前計数期間を設定する放送前計数期間設定部と、前記対象放送番組の放送後における計数を行うための第１の放送後計数期間を設定する第１の放送後計数期間設定部と、前記放送前計数期間における前記対象放送番組の投稿を行った放送前対象ユーザーを抽出する放送前対象ユーザー抽出部と、前記放送前対象ユーザー抽出部により抽出された放送前対象ユーザーの前記放送前計数期間における前記放送対象の投稿数を計数する放送前対象ユーザー放送対象投稿数計数部と、前記第１の放送後計数期間における前記対象放送番組の投稿を行った放送後対象ユーザーを抽出する放送後対象ユーザー抽出部と、前記放送後対象ユーザー抽出部により抽出された放送後対象ユーザーの前記第１の放送後計数期間における前記放送対象の投稿数を計数する放送後対象ユーザー放送対象投稿数計数部として機能させるとともに、前記放送後対象ユーザー抽出部は、前記対象放送番組の投稿数が複数回となる対象ユーザーを抽出するように機能することを特徴とする。
上記目的を達成するために、プログラムに係る請求項１９の発明は、対象ユーザーの放送対象の投稿数の計数を行う放送データ処理装置におけるコンピュータを、対象放送番組の放送前における計数を行うための放送前計数期間を設定する放送前計数期間設定部と、前記対象放送番組の放送後における計数を行うための第１の放送後計数期間を設定する第１の放送後計数期間設定部と、前記放送前計数期間における前記対象放送番組の投稿を行った放送前対象ユーザーを抽出する放送前対象ユーザー抽出部と、前記放送前対象ユーザー抽出部により抽出された放送前対象ユーザーの前記放送前計数期間における前記放送対象の投稿数を計数する放送前対象ユーザー放送対象投稿数計数部と、前記第１の放送後計数期間における前記対象放送番組の投稿を行った放送後対象ユーザーを抽出する放送後対象ユーザー抽出部と、前記放送後対象ユーザー抽出部により抽出された放送後対象ユーザーの前記第１の放送後計数期間における前記放送対象の投稿数を計数する放送後対象ユーザー放送対象投稿数計数部として機能させるとともに、更に、前記放送前計数期間における投稿ユーザーから放送前対象ユーザー抽出部により抽出された放送前対象ユーザーを除いた投稿ユーザーを放送前非対象ユーザーとして抽出する放送前非対象ユーザー抽出部と、前記放送前計数期間における前記放送前非対象ユーザー抽出部により抽出された放送前非対象ユーザーの放送対象の投稿数を計数する放送前非対象ユーザー放送対象投稿数計数部として機能させることを特徴とする。
上記目的を達成するために、プログラムに係る請求項２０の発明は、対象ユーザーの放送対象の投稿数の計数を行う放送データ処理装置におけるコンピュータを、対象放送番組の放送前における計数を行うための放送前計数期間を設定する放送前計数期間設定部と、前記対象放送番組の放送後における計数を行うための第１の放送後計数期間を設定する第１の放送後計数期間設定部と、前記放送前計数期間における前記対象放送番組の投稿を行った放送前対象ユーザーを抽出する放送前対象ユーザー抽出部と、前記放送前対象ユーザー抽出部により抽出された放送前対象ユーザーの前記放送前計数期間における前記放送対象の投稿数を計数する放送前対象ユーザー放送対象投稿数計数部と、前記第１の放送後計数期間における前記対象放送番組の投稿を行った放送後対象ユーザーを抽出する放送後対象ユーザー抽出部と、前記放送後対象ユーザー抽出部により抽出された放送後対象ユーザーの前記第１の放送後計数期間における前記放送対象の投稿数を計数する放送後対象ユーザー放送対象投稿数計数部と、を有し、更に、前記第１の放送後計数期間における投稿ユーザーから前記放送後対象ユーザー抽出部により抽出された放送後対象ユーザーを除いた投稿ユーザーを放送後非対象ユーザーとして抽出する放送後非対象ユーザー抽出部と、前記第１の放送後計数期間における前記放送後非対象ユーザー抽出部により抽出された放送後非対象ユーザーの放送対象の投稿数を計数する放送後非対象ユーザー放送対象投稿数計数部として機能させることを特徴とする。